(57)【要約】【課題】加熱コイルや制御基板や冷却装置であるファンを内蔵するために、本体を上枠と下枠に分割することで嵌合部分から水等が浸入することがあり、電気部品に付着して絶縁性能が劣化して故障することがあるので、この水等の浸入を防止すること。【解決手段】本体１を上枠２と下枠３に分割し、嵌合部分に下枠３から第一の壁８を上方に向けて伸設し、上枠２から第一の壁８の内側に下に向かって第二の壁１２を伸設して、上枠２と第一の壁８の間に第一の隙間１４を形成するとともに、第一の壁８と第二の壁１２の間に第二の隙間１５を形成することで、上枠２と下枠３の間から浸入した水等を水等自身の表面張力で本体１内への浸入を阻止することができる。【選択図】図１
2014103070.tif 000002
【特許請求の範囲】
【請求項１】
被加熱物を載置するトッププレートを固定する上枠、及び下枠で本体の外郭を構成し、前記本体内に加熱コイルと、前記加熱コイルに電力を供給して前記被加熱物を誘導加熱する制御基板と、冷却措置であるファンと、を備え、前記上枠と前記下枠は互いの端面を対峙させるとともに、前記下枠から前記上枠の内側で端面より上方に伸設した第一の壁と、前記上枠から前記第一の壁の内側で前記第一の壁の上端より下方に伸設した第二の壁を設け、前記第一の壁と前記第二の壁は前記上枠と前記下枠の全周または一部に設け、前記上枠の内面と前記第一の壁の間に形成される第一の隙間と、前記第一の壁と前記第二の壁の間に形成される第二の隙間との間に前記第一の隙間より前記第二の隙間のほうが大きい寸法となる寸法関係を全周または一部で維持した構成の電磁誘導加熱調理器。
【請求項２】
前記下枠から前記第二の壁の内側で前記第二の壁の下端より上方に伸設した第三の壁をさらに設け、前記第二の壁と前記第三の壁の間に形成される第三の隙間に対して、前記第一の隙間と前記第二の隙間と前記第三の隙間の寸法関係が前記第三の隙間が前記第二の隙間より大きく前記第二の隙間は前記第一の隙間より大きい寸法となる寸法関係を全周または一部で維持した請求項１に記載の電磁誘導加熱調理器。
【請求項３】
前記第一の隙間または前記第二の隙間または前記第三の隙間のいずれかにおいて、少なくともひとつの隙間において、端面から液体が浸入する方向に隙間が大きくなる請求項１または２に記載の電磁誘導加熱調理器。
【発明の詳細な説明】
【技術分野】
【０００１】
本発明は、略円盤状の加熱コイルを形成して電磁誘導加熱を応用して加熱する卓上タイプの電磁誘導加熱調理器に関するものである。
【背景技術】
【０００２】
従来、この種の電磁誘導加熱調理器は、卓上で使用することを主たる使用方法として、そのデザイン的目的のために外郭を樹脂材料の成形部品で構成することが多かった（例えば、特許文献１参照）。その電気特性上、天面は耐熱性を十分に保持した結晶化ガラスを用いて構成し、天面（結晶化ガラス）は本体上枠に固定されると同時に、内蔵部品を収納するために外郭は上枠と下枠に分離し、内蔵部品である加熱コイルや制御回路を収納した後に、上枠と下枠を固定することが一般的な構成であった（例えば、特許文献１参照）。また、キッチンやテーブルの上で使用するので、様々な液体が本体に降りかかることがあるので、特に液体がかかりやすい操作部には防水構造を有するものが多かった（例えば、特許文献２参照）。
【先行技術文献】
【特許文献】
【０００３】
【特許文献１】特開平１０−２０１６３８号公報
【特許文献２】特開２００４−４１５６９号公報
【発明の概要】
【発明が解決しようとする課題】
【０００４】
しかしながら、前記従来の構成では、特許文献１においては、本体内に加熱コイルや制御回路を内蔵するために、上枠と下枠とに分離して加熱コイル等の内蔵物を収納した後に上枠と下枠を固定する必要があった。この上枠と下枠の合わせ部分から、使用中にさまざまな液体が浸入するといった課題を有していた。
【０００５】
本発明は、前記従来の課題を解決するもので、上枠と下枠の合わせ部分に防水用の壁を設けるだけでなく、壁と上枠との間の隙間寸法を変化させることで、本体を上枠と下枠に分離しなければならない構成において、液体の浸入しにくい電磁誘導加熱調理器を提供することを目的とする。
【課題を解決するための手段】
【０００６】
前記従来の課題を解決するために、本発明の電磁誘導加熱調理器は、被加熱物を載置するトッププレートを固定する上枠、及び下枠で本体の外郭を構成し、前記本体内に加熱コイルと、前記加熱コイルに電力を供給して前記被加熱物を誘導加熱する制御基板と、冷却措置であるファンと、を備え、前記上枠と前記下枠は互いの端面を対峙させるとともに、前記下枠から前記上枠の内側で端面より上方に伸設した第一の壁と、前記上枠から前記第一の壁の内側で前記第一の壁の上端より下方に伸設した第二の壁を設け、前記第一の壁と前記第二の壁は前記上枠と前記下枠の全周または一部に設け、前記上枠の内面と前記第一の壁の間に形成される第一の隙間と、前記第一の壁と前記第二の壁の間に形成される第二の隙間との間に前記第一の隙間より前記第二の隙間のほうが大きい寸法となる寸法関係を全周または一部で維持した構成としたものである。
【０００７】
これによって、上枠と下枠間の端面から浸入した液体が、第一の隙間より第二の隙間のほうが大きい隙間寸法であるので、表面張力により第一の隙間側に引っ張られることとなり、本体内に浸入した液体が上枠と第一の隙間の間または第一の隙間と第二の隙間の間に
とどまるかまたは浸入と逆方向に押し戻されることとなり、本体内に浸入することを防止することができる。
【０００８】
また、本発明の電磁誘導加熱調理器は、前記下枠から第二の壁の内側で前記第二の壁の下端より上方に伸設した第三の壁を設け、前記第二の壁と前記第三の壁の間に形成される第三の隙間に対して、前記第一の隙間と前記第二の隙間と前記第三の隙間の寸法関係が前記第三の隙間が前記第二の隙間より大きく前記第二の隙間は前記第一の隙間より大きい寸法となる寸法関係を全周または一部で維持した構成としたものである。
【０００９】
これによって、第二の壁は上枠から下方向に伸設しているので、第二の隙間を通って本体内に浸入した液体の本体内へのさらなる浸入を第三の壁で阻止するとともに、第二の隙間より第三の隙間が大きな隙間寸法であることにより、表面張力によって第三の隙間から第二の隙間側に液体が引っ張られることとなり、本体内へのさらなる浸入を阻止するかまたは浸入と逆方向に押し戻すことができる。
【００１０】
また、本発明の電磁誘導加熱調理器は、前記第一の隙間または前記第二の隙間または前記第三の隙間のいずれかにおいて、少なくともひとつの隙間において、端面から液体が浸入する方向に隙間が大きくなる構成としたものである。
【００１１】
これによって、第一の隙間、第二の隙間、第三の隙間のいずれか少なくとも一つの隙間に液体が浸入した状態になっても、隙間寸法を液体が浸入する方向に大きくなる構成としているので、表面張力により液体を浸入方向とは反対側すなわち液体を本体外方向に引っ張る力が働くので、液体の浸入の進行を阻止するかまたは浸入と逆方向に押し戻すことができる。
【発明の効果】
【００１２】
本発明の電磁誘導加熱調理器は、部品を内蔵するために上枠と下枠に分離しなければならない構造であり、また飲料等の液体を扱う環境において、壁の隙間の寸法関係を順番に大きくすることにより、部品点数を増やすことなく、組み立てにおいて必然的に行われる作業である上枠と下枠の嵌合によって浸入してくる液体の進行を阻止するかまたは浸入と逆方向に押し戻すことができる。
【図面の簡単な説明】
【００１３】
【図１】本発明の実施の形態１における電磁誘導加熱調理器の部分断面図
【図２】本発明の実施の形態１における電磁誘導加熱調理器の部分断面拡大図
【図３】本発明の実施の形態１における電磁誘導加熱調理器の斜視図
【図４】本発明の実施の形態２における電磁誘導加熱調理器の部分断面図
【図５】本発明の実施の形態２における電磁誘導加熱調理器の部分断面拡大図
【発明を実施するための形態】
【００１４】
第１の発明は、被加熱物を載置するトッププレートを固定する上枠、及び下枠で本体の外郭を構成し、本体内に加熱コイルと、加熱コイルに電力を供給して被加熱物を誘導加熱する制御基板と、冷却措置であるファンを備え、前記上枠と下枠は互いの端面を対峙させるとともに、下枠から上枠の内側で端面より上方に伸設した第一の壁と、上枠から前記第一の壁の内側で第一の壁上端より下方に伸設した第二の壁を設け、前記第一の壁と第二の壁は上枠と下枠の全周または一部に設け、上枠の内面と第一の壁の間に形成される第一の隙間と、第一の壁と第二の壁の間に形成される第二の隙間との間に第一の隙間より第二の隙間のほうが大きい寸法となる寸法関係を全周または一部で維持した構成とすることにより、第二の壁は上枠から下方向に伸設しているので、第二の隙間を通って本体内に浸入した液体が第一の隙間より第二の隙間のほうが大きい隙間寸法であるので、表面張力により
第一の隙間側に引っ張られることとなり、本体内に浸入した液体が上枠と第一の隙間の間または第一の隙間と第二の隙間の間にとどまるかまたは浸入と逆方向に押し戻されることとなり、本体内に浸入することを防止することができる。
【００１５】
第２の発明は、特に、第１の発明において、下枠から第二の壁の内側で第二の壁の下端より上方に伸設した第三の壁を設け、第二の壁と第三の壁の間に形成される第三の隙間に対して、第一の隙間と第二の隙間と第三の隙間の寸法関係が第三の隙間が第二の隙間より大きく第二の隙間は第一の隙間より大きい寸法となる寸法関係を全周または一部で維持した構成とすることにより、第二の壁は上枠から下方向に伸設しているので、第二の隙間を通って本体内に浸入した液体の本体内へのさらなる浸入を第三の壁で阻止するとともに、第二の隙間より第三の隙間が大きな隙間寸法であることにより、表面張力によって第三の隙間から第二の隙間側に液体が引っ張られることとなり、本体内へのさらなる浸入を阻止するかまたは浸入と逆方向に押し戻すことができる。
【００１６】
第３の発明は、特に、第１または第２の発明において、第一の隙間または第二の隙間または第三の隙間のいずれかにおいて、少なくともひとつの隙間において、端面から液体が浸入する方向に隙間が大きくなる構成とすることにより、第一の隙間、第二の隙間、第三の隙間のいずれか少なくとも一つの隙間に液体が浸入した状態になっても、隙間寸法を液体が浸入する方向に大きくなる構成としているので、表面張力により液体を浸入方向とは反対側すなわち液体を本体外方向に引っ張る力が働くので、液体の浸入の進行を阻止するかまたは浸入と逆方向に押し戻すことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電磁誘導加熱調理器の部分断面図を示すものである。図２は第１の実施の形態における電磁誘導加熱調理器の部分断面拡大図である。図３は第１の実施の形態における電磁誘導加熱調理器の斜視図を示すものである。
【００１９】
図３において、電磁誘導加熱調理器の本体１は略直方体で扁平な形状をしている。本体１は上枠２と下枠３により外郭を形成している。
【００２０】
鍋等の被加熱物を載置する天板（トッププレート）５は結晶化ガラスを材料とした板状のガラスでありその外周を上枠の上面に接着等で固定されている。
【００２１】
上枠２は上部の天板５を接着する部分の中央側を開口して天板５の外周を接着している。天板５はほぼ水平に固定されている。本体１内には天板５の直下に加熱コイル（図示せず）が収納されている。
【００２２】
加熱コイルの下方には加熱コイルに電力を供給し鍋を誘導加熱する制御基板（図示せず）が収納されている。制御基板近傍には制御基板に取り付けられた電力制御素子を冷却するための冷却装置であるファン（図示せず）が取付けられている。
【００２３】
上枠２の外周に位置する端面はその板厚のまま下方向を向いて開口している。下枠３は前記加熱コイルと制御基板を収納した形状で上向きに開口している。下枠３の開口部はその肉厚のまま上向きに開口し、前記上枠の端面と向き合い互いの端面をほぼ接触する位置で上枠２と下枠３は締結等で固定される。
【００２４】
下枠３の端面の内周のほぼ全周には第一の壁８が設けてある（図１）。第一の壁８は上
枠の内側に略平行に全周にわたって設けてある。第一の壁８の第一の外側面は傾斜が設けてあり、上枠２の内側面に対峙している。第一の外側面の傾斜は上枠２の内側面の傾斜に比べて大きな傾斜になっている。
【００２５】
従って上枠２の端面から内側に続く傾斜に比べて、第一の外側面の傾斜は大きく傾斜しているので第一の外側面は端面から上方に進むに従って上枠の内側面からの距離が大きくなっている。
【００２６】
第一の壁８の内側の第一の内側面は、第一の壁の上部先端から傾斜して内側に伸びている。従って、第一の壁８の断面は第一の外側面も第一の内側面も傾斜していることとなる。上枠２からは第一の壁８の内側に位置するように第二の壁１２が全周に下方に伸設されている。
【００２７】
第二の壁１２は、第一の壁８の先端よりさらに下方に伸設されて、その先端は下枠３内の下方に位置している。第二の壁１２の外側を構成する第二の外側面は根元である上枠２との接続部から傾斜して形成されている。第二の外側面は前記第一の壁の第一の内側面に対峙している。
【００２８】
第一の壁８の先端は端面より上方に位置し、第一の壁８の先端は第二の壁１２の先端より上方に位置し、つまり第二の壁１２の先端は第一の壁８の先端より下に位置することで、上枠２の内側面と第一の外側面が対峙して第一の隙間１４を形成し、第一の内側面と第二の外側面が対峙する位置関係になり第二の隙間１５を生成している。
【００２９】
上枠２の内側面と第一の外側面の間の第一の隙間１４は、端面付近ではほとんど隙間がなく、約０．２ｍｍ程度である。第一の壁８の先端付近では、第一の外側面の傾斜が大きいので隙間が徐々に大きくなり約０．４ｍｍ程度になる。これが第一の隙間１４の寸法である。
【００３０】
第一の壁８の先端から第二の壁１２の先端方向に位置する第一の内側面と第二の外側面との間の第二の隙間１５は、第二の壁１２の付根付近では約０．６ｍｍであり、第二の壁１２の先端付近では約１ｍｍ程度となる。これが第二の隙間１５の寸法である。第一の壁８も第二の壁１２も上枠２と下枠３の端面に沿ってほぼ全周にわたってその隙間関係は維持された位置関係になっている。
【００３１】
以上のように構成された電磁誘導加熱調理器について、以下その動作、作用を説明する。
【００３２】
まず、加熱コイルや制御基板を下枠３に収納し固定する。上枠２に天板５を水密的に固定した状態で上枠２と下枠３の端面を合わせて本体１の外郭を形成する。上枠２と下枠３を合わせるとき、第一の壁８の第一の外側面は上枠２の内側面より傾斜が大きいので、つまり第一の壁８の先端を上枠２の端面に合わせるようにして位置を探ると、第一の外側面の傾斜が大きい分だけ第一の壁８の先端は上枠２の内側面より大きく内方に位置しているので、上枠２の端面を第一の壁８が誘導して下枠３の端面に嵌めることが簡単にできる。組み立てる場合に大変簡単に組み立てることができる構成となっている。
【００３３】
上枠２の端面と下枠３の端面を合わせることで、第一の壁８は上枠２の内側面内方に位置し、第一の外側面と上枠２の内側面が対峙することとなり第一の隙間１４を形成する。同時に第一の壁８の先端より下側に第二の壁１２の先端が位置することで、第一の内側面と第二の外側面が対峙する位置関係となり第二の隙間１５を形成する。
【００３４】
上枠２と下枠３が嵌合することで、端面がほぼ当接することとなる。上枠２の内側面と第一の外側面の間の隙間は端面から第一の壁８の先端に向かって約０．２ｍｍから０．４ｍｍに徐々に大きくなる形状と位置関係となっている。これが第一の隙間１４である。
【００３５】
また、第一の内側面と第二の外側面との間の隙間は、第二の壁１２の根元側から第二の壁１２の先端に向かう方向に隙間の寸法も約０．６ｍｍから１ｍｍへと徐々に変化する。これが第二の隙間１５である。
【００３６】
この状態で本体１の天板５の上に調理用鍋等を置いて調理したときに、なべの内蔵調理物や調理用の液体調味料等が本体１にこぼれて本体１を流れることがある。
【００３７】
上枠２と下枠３の嵌合部である端面に達した液体は、毛細管現象によって端面から本体１内に吸い込まれる。ここで第一の壁８が端面より高い上方向に伸びているので、通常はこの位置で液体の浸入は停止する。
【００３８】
調理が終了して跡片づけをしているうちに濡れた布巾等で端面をふき取っていると、布巾の水分が端面に押し込まれることになり、その圧力により端面から第一の隙間１４に水分が押し込まれる。押し込まれた水分は上枠２の内側面と第一の壁８の間を浸入して第一の壁８を乗り越えてしまう。
【００３９】
第一の壁８を乗り越えた水分は第一の内側面と第二の外側面の間を進行する。布巾等で押し込まれた水分はこのあたりまで浸入するが、隙間を押し込まれた水分はそれ以上本体内へは浸入しない。
【００４０】
つまり、隙間から押し込まれた布巾の水分は量的には少量でありかつ上枠２や第一の壁８や第二の壁１２の隙間にとどまる程度の量であるので、隙間にとどまる程度の状態となる。
【００４１】
この状態で、水分は第一の隙間１４や第二の隙間１５を満たしているが、隙間の距離が、端面側から徐々に大きくなる位置関係であることから、その表面張力に差があるので、表面張力の大きい方に引かれることになる。表面張力は隙間が小さい方に強く発生するので、この場合は端面側に強く発生することとなる。端面から浸入した水分は一旦第二の壁１２まで浸入するが表面張力により徐々に端面方向に引き戻されることとなる。
【００４２】
端面から浸入した水分はこのようにして本体１内まで浸入することなく端面から浸入して第一の隙間１４や第二の隙間１５にとどまり、やがて液体自身の表面張力により徐々に端面側に引き戻されるので、本体１内の加熱コイルや制御回路に水分が付着して故障することはない。
【００４３】
（実施の形態２）
図３は、本発明の第２の実施の形態の電磁誘導加熱調理器の部分断面図を示すものである。図４は本発明の第２の実施の形態の電磁誘導加熱調理器の部分拡大断面図を示すものである。実施の形態１と同じ名称と同じ符号で記載するものは同一の形状であり同一の機能を示すものである。
【００４４】
図４において、第三の壁１６は第二の壁１２の内側に位置するとともに、下枠３から上方向に伸設する。第三の壁１６の先端は第二の壁１２の先端より上方に位置するとともに第三の外側面は内側方向に傾斜している。第二の壁１２の第二の内側面は根元である上枠２の伸設起点から本体１の外側に向かって傾斜している。第二の内側面と第三の外側面により隙間が形成されている。この隙間が第三の隙間１７である。第三の隙間１７の寸法は
、第二の壁１２の先端付近では１．２ｍｍ程度であるが、第三の壁１６の先端付近では２ｍｍ程度ある。
【００４５】
断面から第一の壁８と第二の壁１２の形状は実施の形態１に記載の名称と符号が同じものは同じ形状であり同じ機能である。
【００４６】
以上のように、本実施の形態においては、下枠３の底部がデザイン的に外周から内側に向かって下方に傾斜している場合は、第三の壁１６でまずは浸入してきた液体を阻止する構成になっている。また、第二の壁１２の第二の内側面と第三の壁１６の第三の外側面とで構成した第三の隙間１７まで液体が浸入したとしても、第三の壁１６は下枠３から上方向に伸設しているので、本体１内への浸入を阻止するとともに、浸入してきた液体が第三の隙間１７に浸入しても、第三の壁１６を乗り越えない限りは本体１内への浸入を防止することができる。
【００４７】
また、第三の隙間１７はその寸法を第二の壁１２の先端付近では１．２ｍｍであり第三の壁１６の先端に近くなると２ｍｍになり徐々に隙間が広くなる構成になっている。端面から浸入した液体が第二の壁１２の先端を乗り越えた場合には、第三の壁１６で本体１内への浸入を阻止するとともに、第三の隙間１７に浸入した液体は、液体自身の表面張力により第三の隙間１７にとどまると共に、第三の隙間１７の寸法が第二の壁１２の先端付近より第三の壁１６の先端付近のほうが大きいので、表面張力は第二の壁１２の先端付近のほうが強く、従って液体は第二の壁１２の先端付近に引き戻されることとなり、端面から浸入した液体は本体１内に浸入して加熱コイルや制御回路に付着することはない。
【００４８】
従って、第一の隙間１４、第二の隙間１５、第三の隙間１７の順に隙間の寸法を大きくする構成にすることで、隙間に浸入した液体自身の表面張力により本体１内とは反対の方向に引き戻す力が働くこととなり、浸入した液体を本体１内に進出することを阻止することができる。
【００４９】
また、本実施の形態では、第一の隙間１４、第二の隙間１５、第三の隙間１７の各々の隙間において、液体の浸入経路から本体１内に向かう方向に隙間寸法を大きくする構成にしているので、各隙間に滞留した液体がある場合は、本体１内とは反対の端面側に液体自身の表面張力によって引き戻される。
【００５０】
これにより、隙間に浸入して滞留した液体は、浸入経路を逆方向に液体自身の表面張力により引き戻されることとなり、液体の本体１内浸入を防止することができる。
【産業上の利用可能性】
【００５１】
以上のように、本発明にかかる電磁誘導加熱調理器は、本体内への液体の浸入を阻止することが可能となり、水分に弱い制御回路や加熱コイルを内蔵する本体内への液体の浸入を阻止することで本体の電気的故障を防止することができるので、調理器の用途に有効である。
【符号の説明】
【００５２】
１  本体
２  上枠
３  下枠
４  外郭
５  天板（トッププレート）
８  第一の壁
１２  第二の壁
１４  第一の隙間
１５  第二の隙間
１６  第三の壁
１７  第三の隙間
【図１】
2014103070.tif 000003
【図２】
2014103070.tif 000004
【図３】
2014103070.tif 000005
【図４】
2014103070.tif 000006
【図５】
2014103070.tif 000007